(57)【要約】【課題】放電管の両端において発生した熱を効率よく外部に逃がす。【解決手段】放電管１１の延在方向に関する両端部における外周面には、電極１２が形成されており、電極１２の表面には、給電端子１３の接続部１３ａが配置されている。さらに、放電管１１の延在方向に関する両端部にはシリコンゴムなどからなる電極カバー１４が取り付けられており、電極カバー１４の筒状部２１により、電極１２及び接続部１３ａの全域が覆われている。また、電極カバー１４には、筒状部２１の外周面から突出した複数の突出部２２が形成されている。複数の突出部２２は、それぞれ、筒状部２１の周方向に沿って延びているとともに、放電管１１の延在方向に沿ってほぼ等間隔に配列されている。また、放電管１１の両端部には、その延在方向の内側に電極カバー１４と隣接して、樹脂材料などからなる透明のキャップ１５が配置されている。【選択図】図４
2010015736.tif 000002
【特許請求の範囲】
【請求項１】
一方向に延在する放電管と、
前記放電管の延在方向の両端部における外周面上に形成された電極と、
前記放電管の延在方向の両端部に配置されているとともに、少なくとも前記電極の一部を覆う、絶縁性材料からなる電極カバーとを備えており、
前記電極カバーは、
筒状に形成されており、前記放電管を取り囲むように配置されることによって前記電極の少なくとも一部を覆う筒状部と、
前記筒状部の外周面から突出した複数の突出部とを有していることを特徴とする外部電極放電ランプ。
【請求項２】
前記筒状部が、少なくとも、前記放電管の延在方向に関する前記電極の両端を覆っていることを特徴とする請求項１に記載の外部電極放電ランプ。
【請求項３】
前記筒状部が、前記電極の全域を覆っていることを特徴とする請求項２に記載の外部電極放電ランプ。
【請求項４】
前記電極を取り囲むように配置されることによって前記電極に接続されているとともに、前記電極に接続されている部分から外部に引き出された、前記電極に電圧を印加するための給電端子をさらに備えており、
前記筒状部が前記電極とともに前記給電端子を覆っていることを特徴とする請求項１〜３のいずれかに記載の外部電極放電ランプ。
【請求項５】
前記筒状部が、前記一方向に関する前記電極よりも前記放電管の内側であって、前記電極から離隔した位置まで延びていることを特徴とする請求項１〜４のいずれかに記載の外部電極放電ランプ。
【請求項６】
前記一方向に関する前記電極カバーよりも前記放電管の内側に、前記電極カバーと隣接して配置されており、前記放電管を取り囲んでいるとともに前記放電管から出射される光を透過可能に構成された、絶縁性材料からなるキャップをさらに備えていることを特徴とする請求項５に記載の外部電極放電ランプ。
【請求項７】
前記キャップが、ソケットに取り付けられた状態で前記ソケットに固定される固定部を備えていることを特徴とする請求項６に記載の外部電極放電ランプ。
【請求項８】
前記電極がカーボンペーストによって形成されていることを特徴とする請求項１〜７のいずれかに記載の外部電極放電ランプ。
【発明の詳細な説明】
【技術分野】
【０００１】
本発明は、放電管の両端部における外周面に電極が形成されており、電極間に電圧を印加することによって放電管を発光させる外部電極放電ランプに関する。
【背景技術】
【０００２】
特許文献１に記載の低圧放電ランプにおいては、ガラスランプ容器（放電管）の両端部の外周面に、銀ペーストなどによって形成された外部電極が形成されているとともに、外部電極を取り囲むように外部電極を覆う絶縁性部材が配置されている。これにより、外部電極の両端部が空気と接触せず、外部電極に電圧を印加して低圧放電ランプを点灯させているときに、コロナ放電が生じて空気中の酸素が反応してオゾンが発生してしまうのを防止している。
【０００３】
【特許文献１】特開２００３−２５７３７７号公報
【発明の開示】
【発明が解決しようとする課題】
【０００４】
ここで、特許文献１に記載の低圧放電ランプでは、外部電極に高電圧（１〜３ｋＶ程度）が印加されるため、電圧の印加により外部電極が発熱する。しかしながら、外部電極が絶縁性部材で覆われていると、この熱が外部に逃げにくく、ガラスランプ容器の両端部に熱がこもってしまう。場合により穴あきなどの危険な過熱状態に至ることもある。
【０００５】
本発明の目的は、電極において発生した熱を効率よく外部に逃がすことが可能な外部電極放電ランプを提供することである。
【課題を解決するための手段】
【０００６】
第１の発明に係る外部電極放電ランプは、一方向に延在する放電管と、前記放電管の延在方向の両端部における外周面上に形成された電極と、前記放電管の延在方向の両端部に配置されているとともに、少なくとも前記電極の一部を覆う、絶縁性材料からなる電極カバーとを備えており、前記電極カバーは、筒状に形成されており、前記放電管を取り囲むように配置されることによって前記電極の少なくとも一部を覆う筒状部と、前記筒状部の外周面から突出した複数の突出部とを有していることを特徴とするものである。
【０００７】
これによると、電極カバーが筒状部の表面から突出した複数の突出部を有しているので、電極カバーの表面積が大きく、電極において発生した熱が、電極カバーから外部に効率よく逃がされる。これにより、放電管の温度上昇が抑制される。
【０００８】
また、電極カバーが絶縁性材料によって構成されているので、電極の外部との絶縁性を確保することができる。
【０００９】
第２の発明に係る外部電極放電ランプは、第１の発明に係る外部電極放電ランプであって、前記筒状部が、少なくとも、前記放電管の延在方向に関する前記電極の両端を覆っていることを特徴とするものである。
【００１０】
これによると、電極の端が空気に触れていると、駆動中の電圧によって発生したコロナ放電により空気中の酸素が反応してオゾンが発生してしまうが、電極カバーの筒状部が電極の端を覆っているのでこのようなオゾンの発生を防止することができる。
【００１１】
第３の発明に係る外部電極放電ランプは、第２の発明に係る外部電極放電ランプであって、前記筒状部が、前記電極の全域を覆っていることを特徴とするものである。
【００１２】
これによると、電極の外部との絶縁性を確実に確保することができる。
【００１３】
第４の発明に係る外部電極放電ランプは、第１〜第３のいずれかの発明に係る外部電極放電ランプであって、前記電極を取り囲むように配置されることによって前記電極に接続されているとともに、前記電極に接続されている部分から外部に引き出された、前記電極に電圧を印加するための給電端子をさらに備えており、前記筒状部が前記電極とともに前記給電端子を覆っていることを特徴とするものである。
【００１４】
これによると、電極において発生した熱が給電端子に伝播し、給電端子と接触している電極カバーにより効率よく外部に逃がされる。
【００１５】
第５の発明に係る外部電極放電ランプは、第１〜第４のいずれかの発明に係る前記筒状部が、前記一方向に関する前記電極よりも前記放電管の内側であって、前記電極から離隔した位置まで延びていることを特徴とするものである。
【００１６】
これによると、放電管から光を出射させる際には、電極に高電圧が印加されるため、電極カバーの端が電極の端に近い位置にあると、筒状部と放電管の間の接触面をリークして電極の絶縁性が確保できない虞がある。しかしながら、本発明では、筒状部が、一方向に関して、電極よりも放電管の内側の電極から離隔した位置まで延びているので、電極の絶縁性が確保される。
【００１７】
第６の発明に係る外部電極放電ランプは、第５の発明に係る外部電極放電ランプであって、前記一方向に関して、前記電極カバーよりも前記放電管の内側に前記電極カバーと隣接して配置されており、前記放電管を取り囲んでいるとともに前記放電管から出射される光を透過可能に構成された、絶縁性材料からなるキャップをさらに備えていることを特徴とするものである。
【００１８】
これによると、電極の絶縁性を確保するために電極カバーを電極から離隔した位置に延ばしすぎると、放電管の光を出射する部分が、電極カバーに覆われてしまい、外部電極放電ランプの外部に光を出射する部分の長さが短くなる。しかしながら、本発明では、光を透過させることができるようにキャップを配置することにより電極の絶縁性を確保することができるとともに、外部電極放電ランプの外部に光を出射する部分の長さが短くなることがない。
【００１９】
第７の発明に係る外部電極放電ランプは、第６の発明に係る外部電極放電ランプであって、前記キャップが、ソケットに取り付けられた状態で前記ソケットに固定される固定部を備えていることを特徴とするものである。
【００２０】
これによると、キャップに固定部を形成することにより、外部電極放電ランプをソケットに容易に固定することができる。
【００２１】
第８の発明に係る外部電極放電ランプは、第１〜第７のいずれかの発明に係る外部電極放電ランプであって、前記電極がカーボンペーストによって形成されていることを特徴とするものである。
【００２２】
これによると、カーボンペーストは金属ペーストなどと比較して熱導電性は小さいが、本発明の電極カバーには突出部が形成されているので、このような場合であっても電極において発生した熱が確実に外部に逃がされ、余裕を持って危険な過熱状態を防止できる。また、カーボンペーストを用いて電極を形成することにより外部電極放電ランプの製造コストが低減される。
【発明の効果】
【００２３】
本発明によれば、電極カバーが筒状部の表面から突出した複数の突出部を有しているので、電極カバーの表面積が大きく、電極において発生した熱が、電極カバーから外部に効率よく逃がされる。これにより、放電管の温度上昇が抑制される。
【００２４】
また、電極カバーが絶縁性材料によって構成されているので、電極の外部との絶縁性を確保することができる。
【発明を実施するための最良の形態】
【００２５】
以下、本発明の好適な実施の形態について説明する。
【００２６】
図１は本発明に係る外部電極放電ランプが取り付けられた照明装置の概略構成図である。図１に示すように、照明装置１は、本体２のソケット１０に、２つの外部電極放電ランプ３が取り付けられることによって構成されている。そして、照明装置１においては、本体２から外部電極放電ランプ３の後述する電極１２に電圧が印加されることによって、後述する放電管１１が発光する。
【００２７】
次に、外部電極放電ランプ３について説明する。図２（ａ）は図１の外部電極放電ランプの一方の端部を拡大した斜視図であり、図２（ｂ）は図２（ａ）のソケット連結部１６を取り外した状態の図である。図３（ａ）は図２（ｂ）のＩＩＩ−ＩＩＩ線断面図であり、図３（ｂ）は本体２の図２（ａ）に対応する部分の断面図であり、図３（ｃ）は外部電極放電ランプ３を本体２に取り付けた状態を示す断面図である。図４（ａ）は図１の電極カバー１４を一方向から見た斜視図であり、図４（ｂ）は図４（ａ）を矢印Ｂの方向から見た斜視図である。図５は図２（ａ）のＶ−Ｖ線断面図である。
【００２８】
図１〜図５に示すように、外部電極放電ランプ３は、放電管１１、電極１２、給電端子１３、電極カバー１４、キャップ１５及びソケット連結部１６を備えている。放電管１１は、ガラスなどからなる両端が塞がれた略円筒形の管であり、所定の一方向に延びている。放電管１１には、その内部に水銀などの放電ガスが封入されている。
【００２９】
電極１２は、銀ペーストなどの導電性材料からなり、放電管１１の両端部の外周面に、それぞれ、その全周にわたって形成されている。そして、２つの電極１２の間に１〜３ｋＶ程度の高周波高電圧を印加すると、放電管１１内で放電が発生し、放電管１１内の放電ガスが発光する。
【００３０】
給電端子１３は、金属などの導電性材料からなり、接続部１３ａと引き出し部１３ｂとを有している。接続部１３ａは、放電管１１の延在方向に関する長さが電極１２よりも若干短く（電極１２の当該方向に関する長さが１４ｍｍ程度であるのに対して、接続部１３ａの長さが１２ｍｍ程度）、電極１２を取り囲むように配置されて電極１２に密着している。これにより、電極１２と接続部１３ａとが電気的に接続される。引き出し部１３ｂは、接続部１３ａの下端部から下方に延びており（外部に引き出されており）、ソケット１０の後述する給電部３１に接続されることにより、給電部３１から供給された電圧が給電端子１３を介して電極１２に印加される。
【００３１】
電極カバー１４は、シリコンゴムなどの耐熱性の高い絶縁性材料からなり、筒状部２１、複数の突出部２２及び端子カバー部２３を有している。筒状部２１は、一方の端が塞がれた略円筒形状に構成されている。そして、筒状部２１を、放電管１１の延在方向の両側からそれぞれはめ込むと、筒状部２１が電極１２の及び給電端子１３の接続部１３ａの全域を取り囲むように配置され、これにより、電極１２の及び給電端子１３の接続部１３ａの全域筒状部２１により覆われる。したがって、電極１２及び接続部１３ａが外部に露出せず、つまり、電極１２及び接続部１３ａと外部との絶縁性が確保され、電極１２に電圧が印加されている状態で使用者が誤って電極や接続部１３ａに触れてしまうなど、電極１２と接続部１３ａとの外部との接触を防止することができる。なお、筒状部２１を形成する絶縁性材料の厚みは例えば１ｍｍ程度である。
【００３２】
ここで、図４（ｂ）に示すように、筒状部２１の下端部には、筒状部２１の開口している側の端部から、放電管１１の延在方向に筒状部２１の途中まで延びた切れ込み２４が形成されており、切れ込み２４を広げながら筒状部２１を放電管１１にはめ込むことにより、電極カバー１４を放電管１１にはめ込みやすくなっている。
【００３３】
また、電極１２においては、その両端部においてコロナ放電が発生しやすく、電極１２のこの部分が空気に接触していると、コロナ放電が発生したときに空気中の酸素が反応してオゾンが発生してしまう虞がある。しかしながら、本実施の形態では、電極１２が、その両端部を含めた全域が筒状部２１に覆われているので、電極１２が空気と接触せず、オゾンが発生してしまうのを防止することができる。
【００３４】
複数の突出部２２は筒状部２１の外周面から突出しており、それぞれ、筒状部２１の外周面の周方向に沿ってその全周にわたって一定の幅（例えば２ｍｍ程度）で延びているとともに、放電管１１の延在方向に沿ってほぼ等間隔（例えば１．５ｍｍ程度）で配列されている。ここで、外部電極放電ランプ３においては、電極１２の間に高電圧が印加されるため、電極１２が発熱する。しかしながら、電極カバー１４は、複数の突出部２２が形成されていることによりその表面積が大きくなっているため、電極１２において発生した熱は、電極カバー１４の表面から効率よく逃がされる。これにより、放電管１１の両端部に熱がこもってしまうのを防止することができる。
【００３５】
ここで、本実施の形態の電極カバー１４及び給電端子１３の一部を切り欠いて、ランプ電流２５ｍＡを流した状態おいて、電極１２の表面の温度がどの程度の温度になるのかを確認した。ちなみに、上記実施の形態の電極カバー１４（シリコンゴム製。厚み、突出部の寸法、間隔は上記のとおり）では、突出部のない平坦な絶縁性部材（厚み、本実施の形態と同様に１ｍｍの場合）と比較して、２０度から３０度低下し、電極表面の温度では約７０度ないし８０度の温度になることが確認できた。
【００３６】
端子カバー部２３は、筒状部２１の下端部から下方に延びており、前述した給電端子１３の引き出し部１３ｂを取り囲んでいる。さらに、端子カバー部２３の外側には、図２に示すように、ソケット連結部１６が取り付けられている。ここで、ソケット連結部１６は、放電管１１の延在方向と直交する方向の両側から、端子カバー部２３を挟むように配置された２つの構成部材１６ａ、１６ｂが、ボルト２８とナット２９とにより互いに締結されることによって形成されている。そして、ソケット連結部１６をソケット１０に差し込むと、図３（ｃ）に示すように、給電端子１３の引き出し部１３ｂがソケット１０に設けられた給電部３１に接続される。また、ソケット連結部１６は、構成部材１６ａの側面にから突出した締結部１６ｃにおいて、ボルト２７によりソケット１０に固定されている。
【００３７】
キャップ１５は、樹脂材料などからなる透明の（放電管１１から出射された光を透過可能に構成された）部材であり、電極カバー１４の図３の右側（一方向に関する電極カバー１４よりも放電管１１の内側）に電極カバー１４に隣接して配置されており、その電極カバー１４側（図３の左側）の略半分が、電極カバー１４における放電管１１の内側への延在部（突出部２２が形成されていない部分）を取り囲んでいるとともに、残りの略半分が、直接放電管１１を取り囲んでいる。
【００３８】
ここで、電極１２の間には高電圧が印加されるが、筒状部２１と放電管１１との間には僅かな隙間があるため、電極カバー１４が図３の右側の端（一方向に関する放電管１１の内側の端）が電極１２に近い位置にあると、筒状部２１と放電管１１の間の接触面をリークして電極１２の絶縁性を十分に確保することができない虞がある。しかしながら、本実施の形態では、電極カバー１４に隣接するようにキャップ１５が配置されているため、電極カバー１４とキャップ１５とにより、電極１２の絶縁性を十分に確保することができる。
【００３９】
なお、キャップ１５を設ける代わりに、筒状部２１を放電管１１の図３の右方にキャップ１５が配置されている部分（一方向に関する電極１２よりも放電管１１の内側であって、電極１２から離隔した位置）まで延ばせば、キャップ１５を設けるのと同様、電極１２の絶縁性を確保することは可能であるが、この場合には、放電管１１の筒状部２１に覆われることによって光を外部に出射できない部分の長さが短くなってしまう。
【００４０】
しかしながら、本実施の形態では、透明のキャップ１５を設けているため、上述したように電極１２の絶縁性を確保することができるとともに、放電管１１のキャップ１５に覆われている部分から出射された光がキャップ１５を透過して外部に出射されるため、キャップ１５によって放電管１１の光が外部に出射されない部分の長さが短くなってしまうことがない。
【００４１】
また、キャップ１５には、２つの固定部３２が設けられている。２つの固定部３２は、放電管１１の延在方向と直交する方向に関する両端部においてそれぞれ上下方向に延びており、その下端部が係合ツメ３２ａとなっている。そして、前述したように、ソケット連結部１６をソケット１０に差し込むと、図５に示すように、係合ツメ３２ａが、ソケット１０に設けられた係合部３３と係合して、キャップ１５とソケット１０とが固定される。これにより、外部電極放電ランプ３を本体２に容易に固定することができる。
【００４２】
したがって、係合ツメ３２ａ及び係合部３３により外部電極放電ランプ３を本体２に固定してから、ボルト２７により両者を締結することができ、ボルト２７による締結作業を容易に行うことができる。また、２つの固定部３２の係合ツメ３２ａと反対側の端部を互いに近づく方向に移動させることにより係合ツメ３２ａと係合部３３との係合が外れるため、外部電極放電ランプ３を本体２から容易に取り外すことも可能である。
【００４３】
以上に説明した実施の形態によると、電極カバー１４の筒状部２１により電極１２及び給電端子１３の接続部１３ａが覆われているとともに、筒状部２１の表面に複数の突出部２２が設けられているので、電極１２において発生した熱が、電極カバー１４から効率よく外部に逃がされる。これにより、放電管１１の両端部に熱がこもってしまうのを防止することができる。
【００４４】
また、絶縁性材料からなる電極カバー１４の筒状部２１が電極１２の全域を覆っているので、電極１２の外部との絶縁性を確保することができ、使用者が誤って電圧が印加された電極１２に触ってしまうなど、電極１２が外部のものと接触してしまうのを防止することができる。また、電極１２の端部において発生したコロナ放電によって空気中の酸素が反応してオゾンが発生してしまうのを防止することができる。
【００４５】
また、絶縁性材料からなるキャップ１５が、電極カバー１４の図３の右側に隣接して配置されているので、電極１２の外部との絶縁性をさらに確実に確保することができる。また、キャップ１５が透明であり、放電管１１のキャップ１５に覆われた部分から出射された光はキャップ１５を透過して外部に出射されるので、キャップ１５を設けることにより、放電管１１の外部に光を出射することができる部分の長さが短くなってしまうことがない。
【００４６】
また、キャップ１５に固定部３２が設けられているので、外部電極放電ランプ３を本体に取り付けたときに、係合ツメ３２ａがソケット１０の係合部３３と係合して、キャップ１５がソケット１０に固定される。これにより、外部電極放電ランプ３を本体２に容易に固定することができる。
【００４７】
次に、本実施の形態に種々の変更を加えた変形例について説明する。ただし、本実施の形態と同様の構成を有するものについては同じ符号を付し、適宜その説明を省略する。
【００４８】
本実施の形態では電極カバー１４がシリコンゴムからなる例を説明したが、シリコンゴム以外の、絶縁性及び耐熱性を有する他の合成樹脂材等により構成してもよい。この場合でも、筒状部２１の表面に形成した複数の突出部２２の形成により電極カバー１４の表面積が大きくなるため、電極カバー１４からの放熱効果が高くなり、放電管１１の両端部に熱がこもってしまうのを防止することができる。なお、本実施の形態のシリコンゴムのように、絶縁性、耐熱性に加えて、柔軟性があり対象物に対し密着性が材質の場合は、電極カバー１４と電極１２及び給電端子１３間の密着をよくして熱伝導効率をあげ、放熱効果をさらに向上でき有用である。絶縁性、耐熱性、密着性のある材質のものとして、シリコンゴム以外では、例えばフッ素ゴム、アクリルゴム等が利用できる。
【００４９】
また、この柔軟性に変えて、熱伝導性をさらに向上した、例えば高熱伝導フィラー等を充填したＰＢＴ、ＰＡ、ＰＥ等の熱伝導性樹脂も、同様に熱伝導効率を上げる点で使用できる。
【００５０】
本実施の形態では、銀ペーストにより電極１２を形成していたが、他の銅ペースト、ニッケルペースト、金ペースト等の金属ペーストにより形成することができる。またこれらの金属ペーストには限られず、電極１２をカーボンペーストによって形成してもよい。カーボンペーストは上記のような金属ペーストと比較して熱伝導性が低いが、電極カバー１４に複数の突出部２２が設けられており、電極１２において発生した熱は電極カバー１４から効率よく外部に逃がされるため、電極１２を比較的熱伝導性の低いカーボンペーストによって構成した場合でも、放電管１１の両端部に熱がこもってしまうのを防止することができる。また、電極１２を比較的安価なカーボンペーストによって形成すれば、外部電極放電ランプ３の製造コストを低減することができる。
【００５１】
また、本実施の形態では、キャップ１５に外部電極放電ランプ３を本体２に固定するための固定部３２が設けられていたが、これには限られず、キャップ１５に固定部３２が設けられておらず、外部電極放電ランプ３が、ボルト２７のみによって本体２に固定されるように構成されていてもよい。
【００５２】
また、本実施の形態では、キャップ１５が設けられていたが、これには限られず、電極カバー１４の筒状部２１が、キャップ１５が配置されている部分（一方向に関する電極１２よりも放電管１１の内側であって、電極１２から離隔した位置）まで延びていてもよい。この場合には、放電管１１の電極カバー１４に覆われることによって光を外部に出射できない部分の長さが長くなってしまうものの、キャップ１５を設ける場合と同様、電極１２の外部との絶縁性を確保することはできる。また、この場合には、キャップ１５が不要となるため、外部電極放電ランプを形成するのに必要な部品点数を減らすことができる。
【００５３】
また、本実施の形態では、電極カバー１４の筒状部２１が、電極１２及び給電端子１３の接続部１３ａの全域を覆っていたが、筒状部は、電極１２及び接続部１３ａの少なくとも一部分を覆っていればよい。この場合でも、電極カバーには複数の突出部２２が設けられているため、電極１２において発生した熱は、電極カバーから効率よく外部に逃がされる。
【００５４】
さらに、電極１２及び接続部１３ａの筒状部に覆われている部分の外部との絶縁性は確保されており、電極１２及び接続部１３ａが電極カバーに覆われていない場合と比較すれば、電極１２及び接続部１３ａが外部と接触しにくい。また、筒状部２１が、少なくとも放電管１１の延在方向に関する電極１２の両端部を覆っている場合には、上述したようなコロナ放電によるオゾンの発生を防止することができる。
【００５５】
また、本実施の形態では、複数の突出部２２が、それぞれ、筒状部２１の外周面の周方向に沿ってその全周にわたって延びているとともに、放電管１１の延在方向に沿って等間隔に配列されていたが、筒状部２１の外周面から突出していれば、突出部２２の形状や配置は、これ以外のものであってもよい。
【００５６】
また、本実施の形態では、放電管１１の延在方向に関する接続部１３ａの長さが、電極１２よりも若干短い長さとなっていたが、これには限られず、接続部１３ａの当該方向に関する長さが、電極１２に比べて十分に短くてもよい。
【００５７】
ここで、接続部１３ａは、電極１２に対してその厚みが大きいため、電極カバー１４を取り付けると、接続部１３ａにより筒状部２１を外側に向かって押圧されることとなる。したがって、接続部１３ａの長さが長いと、上記押圧される部分の面積が大きくなり、筒状部２１と放電管１１との間に隙間ができて、電極１２の絶縁性を十分に確保できない虞がある。そして、このとき、電極１２の絶縁性を十分に確保しようとすると、筒状部２１を長くしたり、キャップ１５を設けたりする必要がある。
【００５８】
しかしながら、放電管１１の延在方向に関する接続部１３ａの長さを短くすれば、筒状部２１の接続部１３ａによって外側に押圧される部分の面積が小さくなり、筒状部２１と電極１２とが十分に密着することとなるため、筒状部２１を長くしたり、キャップ１５を設けたりしなくても、電極１２の絶縁性を確保することができる。なお、放電管１１の延在方向に関する接続部１３ａの長さは、具体的には１〜３ｍｍ程度まで短くしても、電極１２に電圧を印加する際に支障がない。また、放電管１１の延在方向に関する引き出し部１３ｂの長さについては、接続部１３ａと同じ程度まで短くすることが可能である。
【図面の簡単な説明】
【００５９】
【図１】図１は本発明における外部電極放電ランプが取り付けられた照明装置の概略構成図である。
【図２】（ａ）は図１の外部電極放電ランプの一方の端を拡大した斜視図であり、（ｂ）は（ａ）のソケット連結部を取り外した状態の図である。
【図３】（ａ）が図２（ｂ）のＩＩＩ−ＩＩＩ線断面図、（ｂ）が本体の（ａ）に対応する部分の断面図、（ｃ）が外部電極放電ランプを本体に取り付けた状態の断面図である。
【図４】（ａ）が図１の電極カバーを一方向から見た斜視図であり、（ｂ）が（ａ）を矢印Ｂの方向から見た斜視図である。
【図５】図２（ａ）のＶ−Ｖ線断面図である。
【符号の説明】
【００６０】
３  外部電極放電ランプ
１０  ソケット
１１  放電管
１２  電極
１３  給電端子
１４  電極カバー
１５  キャップ
２１  筒状部
２２  突出部
３２  固定部
３２ａ  係合ツメ
【図１】
2010015736.tif 000003
【図２】
2010015736.tif 000004
【図３】
2010015736.tif 000005
【図４】
2010015736.tif 000006
【図５】
2010015736.tif 000007